(57)【要約】【課題】フットスイッチが本体に装着された姿勢であってもフットスイッチの操作がし易いレーザー治療装置を提供する。【解決手段】レーザー発振器１５を内包する筐体１２と、レーザーの照射及び停止を操作するフットスイッチ５０と、を備え、筐体の外周部から張り出す板状のフットスイッチ載置部１３が設けられており、フットスイッチ載置部の上面でありフットスイッチが載置される載置面１３ａは、筐体から離隔するにつれて下方となるように傾斜しており、フットスイッチが載置面に載置された姿勢で、フットスイッチが載置面上で移動及び回動可能となるように、載置面はフットスイッチとの接触面よりも大きな面積を有して構成されている。【選択図】図１
2019000356.tif 000002
【特許請求の範囲】
【請求項１】
歯科治療に用いられるレーザー治療装置であって、
レーザー発振器を内包する筐体と、レーザーの照射及び停止を操作するフットスイッチと、を備え、
前記筐体の外周部から張り出す板状のフットスイッチ載置部が設けられており、
前記フットスイッチ載置部の上面であり前記フットスイッチが載置される載置面は、前記筐体から離隔するにつれて下方となるように傾斜しており、
前記フットスイッチが前記載置面に載置された姿勢で、前記フットスイッチが前記載置面上で移動及び回動可能となるように、前記載置面は前記フットスイッチとの接触面よりも大きな面積を有して構成されている、
レーザー治療装置。
【請求項２】
前記フットスイッチと前記載置面とは磁石による吸引力で吸着する請求項１に記載のレーザー治療装置。
【発明の詳細な説明】
【技術分野】
【０００１】
本発明は、歯科医療現場にて用いられるレーザー治療装置に関し、特に、フットスイッチを備えるレーザー治療装置に関する。
【背景技術】
【０００２】
歯科医療分野の現場では様々な医療機器が用いられており、これには例えばレーザーを患部に照射することにより治療を行うレーザー治療装置が挙げられる。
【０００３】
例えば特許文献１、特許文献２には、レーザー治療装置についてその構造が開示されている。これらの文献からわかるように、レーザー治療装置にはレーザーの照射の開始と停止とを切り替えるフットスイッチが備えられている。フットスイッチは、両手でハンドピース及び他の治療具を持った状態で、足でレーザーの照射の開始及び停止を操作できるので利便性が高い。そして、これらレーザー治療装置では、フットスイッチをレーザー治療装置の本体の下部に設けられた収納部分に収めることができるように構成されている。また当該収めた状態でフットスイッチの操作ができるように傾斜された状態で収納可能とされている。
【先行技術文献】
【特許文献】
【０００４】
【特許文献１】特開２０１１−８３３２８号公報
【特許文献２】特開２００７−９７７５８号公報
【発明の概要】
【発明が解決しようとする課題】
【０００５】
しかしながら、このようなレーザー治療装置では、収納部分にフットスイッチを収納した状態でフットスイッチを操作する際に、操作のし難さがあった。
【０００６】
そこで本発明は上記問題に鑑み、フットスイッチが本体に装着された姿勢であってもフットスイッチの操作がし易いレーザー治療装置を提供することを課題とする。
【課題を解決するための手段】
【０００７】
以下、本発明について説明する。ここでは分かり易さのため、図面に付した参照符号を括弧書きで併せて記載するが、本発明はこれに限定されるものではない。
【０００８】
本発明の１つの態様は、歯科治療に用いられるレーザー治療装置（１０）であって、レーザー発振器（１５）を内包する筐体（１２）と、レーザーの照射及び停止を操作するフットスイッチ（５０）と、を備え、筐体の外周部から張り出す板状のフットスイッチ載置部（１３）が設けられており、フットスイッチ載置部の上面でありフットスイッチが載置される載置面（１３ａ）は、筐体から離隔するにつれて下方となるように傾斜しており、フットスイッチが載置面に載置された姿勢で、フットスイッチが載置面上で移動及び回動可能となるように、載置面はフットスイッチとの接触面よりも大きな面積を有して構成されている、レーザー治療装置である。
【０００９】
フットスイッチ（５０）と載置面（１３ａ）とは磁石による吸引力で吸着するように構成してもよい。
【発明の効果】
【００１０】
本発明によれば、フットスイッチを本体に装着した姿勢であってもフットスイッチを移動したり、向きを変えたりすることができるので、当該姿勢におけるフットスイッチの操作性を高めることができ、利便性の高いレーザー治療装置となる。
【図面の簡単な説明】
【００１１】
【図１】レーザー治療装置１０の斜視図である。
【図２】レーザー治療装置１０の側面図である。
【図３】フットスイッチ載置部１３の周辺に注目した斜視図である。
【図４】フットスイッチ５０の分解斜視図である。
【図５】レーザー治療装置１０の１つの姿勢を示す斜視図である。
【発明を実施するための形態】
【００１２】
以下、本発明を図面に示す形態に基づき説明する。ただし本発明はこれら形態に限定されるものではない。
【００１３】
図１は一つの形態を説明する図で、レーザー治療装置１０の外観斜視図、図２はレーザー治療装置１０の側面図である。図２では内側に配置された部材を点線により表している。
【００１４】
図１、図２からわかるように、レーザー治療装置１０は、本体１１、保持手段２０、導光手段３０、レーザーハンドピース４０、及びフットスイッチ５０、を有して構成されている。
【００１５】
本体１１は、箱状である筐体１２を有し、その底面には車輪１２ａが配置されており、レーザー治療装置１０の移動を容易にしている。
【００１６】
また、筐体１２の下部の側面には、該側面から板状の部材が張り出すようにして形成された、フットスイッチ載置部１３が設けられている。図３には図１のうちフットスイッチ載置部１３の周辺に注目した斜視図を表した。
【００１７】
フットスイッチ載置部１３は、図１、図３にも表れているようにフットスイッチ５０を載置して本体１１にフットスイッチ５０を装着する部位である。そのため、本形態のフットスイッチ載置部１３は、板状の部材が筐体１２から張り出すように形成され、その上面である載置面１３ａを具備する。
【００１８】
載置面１３ａは、筐体１２から離隔するにつれて床面に近づくように下方に傾斜している。これにより、フットスイッチ５０を載置面１３ａに配置した姿勢でも施術者はフットスイッチ５０を容易に操作することができる。載置面１３ａの床面に対する角度（図２のθ）は特に限定されることはないが、１０°以上５０°以下であることが好ましい。これによりフットスイッチ５０の操作が一層し易いものとなる。なお、載置面１３ａの当該角度θを可変としてもよく、そのためにフットスイッチ載置部１３の床面に対する傾斜角度を変更することができるように構成してもよい。
【００１９】
また載置面１３ａは、凹凸が少なく平滑であり、フットスイッチ５０の底面（載置面１３ａとの接触面）の面積に対して広い面を有していることが好ましい。これにより後述するようにフットスイッチ５０を載置面１３ａの上で円滑に移動及び回転させ、その姿勢を調整することができる。
より具体的には、図３にＷで示した載置面１３ａの幅（フットスイッチ載置部１３が突出する方向に対して直交する水平方向の大きさ）は、フットスイッチ５０の底面の当該方向の幅（図３のＷｆ）に対して１倍より大きく３倍以下であることが好ましい。フットスイッチ５０の移動及び回動のし易さの観点からより好ましくは１．５倍以上３倍以下である。
また、図３にＴで示した載置面の突出方向の大きさは２５ｍｍ以上２００ｍｍ以下であることが好ましい。
そして、図２にＨで示した載置面１３ａの最高位は、床面から２０ｍｍ以上２００ｍｍ以下であることが好ましい。これによりフットスイッチ５０により適切な傾斜を与えることができる。
【００２０】
このように載置面１３ａは傾斜しており、その上でフットスイッチ５０を動かすことができるように構成されているため、フットスイッチ載置部１３からフットスイッチ５０が滑り落ちないための手段を備えていることが好ましい。具体的な手段は特に限定されることはないが、例えば、フットスイッチ載置部１３とフットスイッチ５０とが磁石により吸着するように構成してもよい。その他、フットスイッチ５０の底板５１ｂの下面、及び／又は載置面１３ａに滑り止めのゴム等が備えられる形態でもよい。これらによれば、円滑にフットスイッチ５０を動かすことができるとともに、フットスイッチ載置部１３からフットスイッチ５０が滑り落ちることを防止することが可能となる。
【００２１】
図１、図２に戻り、他の構成について説明する。本形態のレーザー治療装置１０の本体１１における筐体１２の内側にレーザー発振器１５が配置されている。レーザー発振器１５の種類は特に限定されることはなく、例えば炭酸ガスレーザー、Ｎｄ：ＹＡＧレーザー、Ｅｒ：ＹＡＧレーザー、半導体レーザー、Ｈｅ−Ｎｅレーザー等を挙げることができる。
また、本体１１には、筐体１２の内側にレーザー治療装置１０を制御する不図示の制御手段が備えられている。制御手段はいわゆる電子回路を形成する演算基板により形成されており、中央演算子（ＣＰＵ）、ＲＯＭ、ＲＡＭ等を有し、ＲＯＭに記憶されたプログラムに基づいて中央演算子で演算を行うことで制御処理を行う。また演算手段には、入力手段として、筐体１２に備えられた入力パネル１１ａ、フットスイッチ５０、及びレーザーハンドピース４０に備えられたスイッチが挙げられる。
制御手段には、これら入力パネル１１ａ、フットスイッチ５０、レーザーハンドピース４０、レーザー発振器１５、及び備えられるその他の各種機器が接続されて、入力に基づいて演算をし、その結果の実行及び表示等が行われる。
【００２２】
保持手段２０は、導光手段３０を保持して、導光手段３０、及びハンドピース４０を空中に保持しておく手段であり、筐体１２から立設するようにして設けられている。本形態で保持手段２０は、連結部材２１、保持棒２３、及び保持片２４を有して構成されている。
【００２３】
連結部材２１は、筐体１２に保持棒２３を連結する部材であり、保持手段２０に力がかかった時にも破壊、切断等の不具合を生じることなく適切に保持手段２０が筐体１２に保持されるように機能する部材である。連結部材２１は特に限定されることはないが、その強度を確保する観点から金属管等を用いることができる。
【００２４】
保持棒２３はその一端（下端）が連結部材２１に取り付けられ立設するように配置された棒状部材である。本形態では、連結部材２１から鉛直上方に延び、その先が屈曲して斜め上方にさらに延びるように形成されている。ただしこの形態は特に限定されることはない。また、その断面形状も特に限定されることはなく、円形、多角形、中実、中空等を挙げることができる。
【００２５】
保持棒２３は、導光手段３０を空中に保持する部材であるから、当該保持ができる程度に強度、及びコシを有している必要がある。このような保持をすることができればその材質は特に限定されることはないが、例えば繊維強化プラスチック（ＦＲＰ）、ガラス繊維強化プラスチック（ＧＦＲＰ）、炭素繊維強化プラスチック（ＣＦＲＰ）等を挙げることができる。
【００２６】
保持片２４は、保持棒２３に導光手段３０を固定する手段である。固定のための具体的な手段は特に限定されることはない。本形態では保持棒２３と導光手段３０とを結束する結束部材により導光手段３０を保持棒２３に固定している。
【００２７】
導光手段３０は、レーザー発振器１５から出射したレーザー光をレーザーハンドピース４０にまで導く手段である。図１、図２からわかるように、本形態の導光手段３０は、連結部材３１、導光ファイバー３２、被覆管３３を有して構成されている。
【００２８】
連結部材３１は、筐体１２から立設され、被覆管３３の一端が接合されている。また、連結部材３１の内側を導光ファイバー３２が貫通し、筐体内１２のレーザー発振器１５に接続されている。連結部材３１は、被覆管３３や導光ファイバー３２に力がかかった時にも破壊、切断等の不具合を生じることなく適切にこれらを保護する部材である。従って、連結部材３１は特に限定されることないが、その強度を確保する観点から金属管等により形成することができる。
【００２９】
導光ファイバー３２は、その一端がレーザー発振器１５に接続され、他端がレーザーハンドピース４０に接続されており、レーザー発振器１５から出射されたレーザー光をレーザーハンドピース４０に導光する線状部材である。
導光ファイバー３２は公知のものを適用することができるが、例えば中空ファイバー、プラスチックファイバー、石英ファイバー、多結晶ファイバー等を挙げることができる。
【００３０】
被覆管３３は、その一端が連結部材３１に接合され、他端がレーザーハンドピース４０に接合される管状で可撓性を有する部材である。そして被覆管３３の中を上記導光ファイバー３２が通されている。これにより被覆管３３が導光ファイバー３２を保護している。
被覆管３３はレーザーハンドピース４０の移動に追随して柔軟に移動することが好ましいため、可撓性を有する材料により形成されており、具体的な材料は特に限定されることはないが、例えばステンレス製フレキシブルホース、繊維強化プラスチック（ＦＲＰ）、ガラス繊維強化プラスチック（ＧＦＲＰ）、炭素繊維強化プラスチック（ＣＦＲＰ）等を挙げることができる。
【００３１】
このような導光手段３０は、図１、図２からわかるように、その一部が保持片２４により保持棒２３に保持されている。これにより導光手段３０が空中でその姿勢を維持することができる。この保持はレーザーハンドピース４０が配置される側の端部において、ある程度の長さで保持されない部分を有することが好ましい。これによりレーザーハンドピース４０の取り回しの自由度が大きくなる。
【００３２】
レーザーハンドピース４０は、施術者が手に持って操作し、レーザー光が出射される機器である。レーザーハンドピース４０は公知のものを適用することができ、その形態は特に限定されることはない。
なお、レーザーハンドピース４０には、手元で操作することができるようにレーザー光の照射のスイッチを備えることができる。
【００３３】
フットスイッチ５０は、本体１１の制御手段に接続され、本形態ではレーザーの照射及び停止を制御するスイッチである。本形態でフットスイッチ５０は、カバー５１、操作スイッチ５２及び配線５３を有して構成されている。図４にはカバー５１及び操作スイッチ５２の分解斜視図を示した。
【００３４】
カバー５１は、操作スイッチ５２を覆うように設けられる箱状の部材であり、その内側に操作スイッチ５２が配置される。これにより人の通行等により誤って操作スイッチ５２が踏まれて押されることを防止する。従って、カバー５１は少なくとも操作スイッチ５２の上方を覆うよう天板５１ａを具備している。また、操作スイッチ５２を固定するための土台となる底板５１ｂが天板５１ａに対向するように設けられている。
一方で、施術者による操作スイッチ５２の操作は必要であるため、操作者の足先を挿入する開口５１ｃが正面に設けられている。さらに本形態では操作者が側面側からも足先を挿入して操作をすることができるように側面にも開口５１ｄが形成されている。
【００３５】
操作スイッチ５２は操作者が足で操作することができるスイッチであり、カバー５１の底板５１ｂの面のうち天板５１ａ側の面に固定される。このような操作スイッチ５２は公知の通りであり、本形態では操作スイッチ５２の操作部５２ａの操作によりレーザーの出射及び停止を制御することができるように構成されている。
【００３６】
配線５３は公知の通りであり、制御手段と操作スイッチ５２とを電気的に接続する紐状で、その一端が制御手段に接続され、他端が操作スイッチ５２に接続されている。そして配線５３は、導線が絶縁部材に被覆されてなる。
図１、図２からわかるように、本形態で配線５３は筐体１２に設けられた掛止突起１２ｂに引っ掛けられている。これにより配線を取りまとめておくことができる。
【００３７】
以上のような構成を備えるレーザー治療装置１０によれば、次のように作用する。図５には図１と異なる姿勢であるレーザー治療装置１０の斜視図を表した。
施術者は、治療の際にレーザーハンドピース４０を掴み、レーザー光を照射すべき部位にレーザーハンドピース４０を近づける。そしてフットスイッチ５０の操作スイッチ５２の操作部５２ａを足で操作することでレーザーハンドピース４０からレーザーが照射され治療が行われる。治療が終了したら再び操作スイッチ５２の操作部５２ａを操作してレーザーの照射を停止する。その後、施術者がレーザーハンドピース４０を離しても、図１、図２からわかるように、レーザーハンドピース４０は、保持棒２３に保持されているので、レーザーハンドピース４０は空中に保持される。
【００３８】
このとき施術者はフットスイッチ５０を図５のように、本体１１から離脱させて配置させて操作をすることが可能である。これによれば本体１１が施術者から離隔していてもフットスイッチ５０を施術者の足元に十分引き寄せて操作することができる。
【００３９】
一方、施術者と本体１１との距離が近い場合にはフットスイッチ５０を本体１１に装着して操作する方が好ましい場面もある。この場合には図１に示したように、フットスイッチ５０をフットスイッチ載置部１３の載置面１３ａに配置させて操作することができる。このとき、図５の姿勢から図１の姿勢にする際にも、施術者はケース５１の天板５１ａに足先を引っ掛けるようにしてフットスイッチ５０を持ち上げてフットスイッチ載置部１３にまで移動させることができる。従って、かがむ必要がなく楽にフットスイッチ５０を移動させることができるとともに、フットスイッチ５０に手を触れる必要がないので衛生的にも好ましい。
【００４０】
また、図１のような姿勢とされた場合でも、載置面１３ａが上記のように傾斜しているので、施術者はケース５１の内側に足先を挿入し易いため、容易にフットスイッチ５２の操作を行うことができる。この際、上記したようにフットスイッチ５０はフットスイッチ載置部１３から滑り落ちないように構成されているので、適切な操作が可能である。
【００４１】
さらに、フットスイッチ載置部１３の載置面１３ａはフットスイッチ５０の底板５１ｂ（フットスイッチとの接触面）よりも広い面積となるように構成されているので、図３に点線矢印で示したように、フットスイッチ５０を載置面１３ａ上で移動及び回動させることができる。これによりフットスイッチ５０を載置面１３ａに配置したままで、操作しやすい位置及び角度に調整することが可能である。
【符号の説明】
【００４２】
１０  レーザー治療装置
１１  本体
１１ａ  入力パネル
１２  筐体
１３  フットスイッチ載置部
１３ａ  載置面
１５  レーザー発振器
２０  保持手段
２１  連結部材
２３  保持棒
２４  保持片
３０  導光手段
３１  連結部材
３２  導光ファイバー
３３  被覆管
４０  レーザーハンドピース
５０  フットスイッチ
５１  ケース
５２  操作スイッチ
５３  配線
【図１】
2019000356.tif 000003
【図２】
2019000356.tif 000004
【図３】
2019000356.tif 000005
【図４】
2019000356.tif 000006
【図５】
2019000356.tif 000007